(57)【要約】【課題】プラグ端子の抜け止め可能且つ挿入されるプラグをあらかじめロックするソケット構造を提供する。【解決手段】主には、下端絶縁ケース体、一対の電極フィルム構造、上端絶縁ケース体及びスライドによって構成される。前記下端絶縁ケース体はプラグの導電端子を挿入させる挿入孔を有し、且つ、前記電極フィルム構造は前記下端絶縁ケース体の収納空間内に設けられ、挿入される導電端子と接触する。上端絶縁ケース体は下端絶縁ケース体上方を覆い、底面は一対の挟持部材を有し、前記一対の挟持部材末端は自由端部であり、それぞれ前記電極フィルム構造の傍に位置する。上端絶縁ケース体はスライドをスライドさせる溝部を有し、スライドがロック位置へ押される時、スライドの２つの挟持部材を介する凸部は前記２つの挟持部材の自由端部を電極フィルム構造に向けて移動させ、挿入されたプラグの抜け止めを可能にする。 【選択図】図１
0003179678.tif 000002
【実用新案登録請求の範囲】
【請求項１】
導線に接続され、少なくとも２つの導電端子を有するプラグを挿入させることにより導電性接続するプラグ端子の抜け止め可能なソケットであって、
２個の挿入孔を開設する前端面を有し、前記プラグの２つの導電端子をそれぞれ挿入させ、前記前端面の後方側面は壁が延長され、上方が開いている収納空間が形成され、前記前端面が形成する後端面は少なくとも２つの欠切を有する下端絶縁ケース体と、
挿入される前記プラグの導電端子と挟持接触し、それぞれの前段には２つの前方に向かって間隔が徐々に縮まり、さらに広がる弾力部材を有し、後段には前記２つの弾力部材と接触する結合部が形成され、末端には前記導線の芯線と接続する接線部が形成される一対の電極フィルム構造と、
前記下端絶縁ケース体の収納空間上方を覆う上端絶縁ケース体と、
スライド式で前記溝部内に設けられると共に、下に向かって延長し前記２つの挟持部材の間に位置する凸部を有するスライドとを含み、
ここでは、前記スライドが係止位置へ押される時、前記凸部前端は前記２つの小円弧部を押し、前記２つの大円弧部はそれぞれ前記２つの電極フィルム構造の弾力部材を押し、前記２つの電極フィルム構造はそれぞれ前記プラグの導電端子を抜け止め、前記スライドがオープンの位置へ押される時、前記凸部は位置を移動させ、ロックを解除し、
前記壁の底面は前記収納空間内の対応する前記２個の挿入孔方向に向かう一対の間隔を有する挟持部材を形成し、それぞれの前記挟持部材は少なくとも１つの自由端部を有し、端部外側には大円弧部が形成され、内側には小円弧部が形成され、前記大円弧部は前記電極フィルム構造の両弾力部材の間隔が徐々に縮まる位置の傍に位置し、前記２つの挟持部材の間には溝部が開設されることを特徴とする、プラグ端子の抜け止め可能なソケット。
【請求項２】
さらに前記下端絶縁ケース体の外を覆う外ケースを含み、前記導線を前記外ケース後端から伸び出させることを特徴とする、請求項１に記載のプラグ端子の抜け止め可能なソケット。
【請求項３】
前記外ケースは前記下端絶縁ケース体下方に接地挿入孔を形成し、前記接地挿入孔内には導電体が設けられ、前記挿入されるプラグの接地端子は挿入接触することを特徴とする、請求項１に記載のプラグ端子の抜け止め可能なソケット。
【請求項４】
少なくとも２つの導電端子を有するプラグを挿入させることにより導電性接続するソケットであって、
導線と、
少なくとも１つのソケット構造から構成され、
前記ソケット構造は、
２個の挿入孔を開設する前端面を有し、前記プラグの２つの導電端子をそれぞれ挿入させ、前記前端面の後方側面は壁が延長され、上方が開いている収納空間が形成され、前記前端面が形成する後端面は少なくとも２つの欠切を有する下端絶縁ケース体と、
挿入される前記プラグの導電端子と挟持接触し、それぞれの前段には２つの前方に向かって間隔が徐々に縮まり、さらに広がる弾力部材を有し、後段には前記２つの弾力部材と接触する結合部が形成され、末端には前記導線の芯線と接続する接線部が形成される一対の電極フィルム構造と、
前記下端絶縁ケース体の収納空間上方を覆う上端絶縁ケース体と、
スライド式で前記溝部内に設けられると共に、下に向かって延長し前記２つの挟持部材の間に位置する凸部を有するスライドと、
前記下端絶縁ケース体の外を覆う外ケースであって、前記導線を前記外ケース後端から伸び出させる外ケースとを含み、
ここでは、前記スライドがロック位置へ押される時、前記凸部前端は前記２つの小円弧部を押し、前記２つの大円弧部はそれぞれ前記２つの電極フィルム構造の弾力部材を押し、前記２つの電極フィルム構造はそれぞれ前記プラグの導電端子を抜け止め、前記スライドがオープンの位置へ押される時、前記凸部は位置を移動させ、ロックを解除し、
前記壁の底面は前記収納空間内の対応する前記２個の挿入孔方向に向かう一対の間隔を有する挟持部材を形成し、それぞれの前記挟持部材は少なくとも１つの自由端部を有し、端部外側には大円弧部が形成され、内側には小円弧部が形成され、前記大円弧部は前記電極フィルム構造の両弾力部材の間隔が徐々に縮まる位置の傍に位置し、前記２つの挟持部材の間には溝部が開設されることを特徴とする、プラグ端子の抜け止め可能なソケット。
【請求項５】
前記外ケースは対応する前記下端絶縁ケース体下方に少なくとも１つの接地挿入孔を形成し、前記接地挿入孔内には導電体が設けられ、前記挿入されるプラグの接地端子と接触することを特徴とする、請求項４に記載のプラグ端子の抜け止め可能なソケット。
【請求項６】
前記下端絶縁ケース体の前端面上方には隆起した突起部が形成され、前記突起部の高さは前記スライドの高さより高く、フールプルーフ機能を有することを特徴とする、請求項５に記載のプラグ端子の抜け止め可能なソケット。
【請求項７】
前記下端絶縁ケース体の前端面上方及び下方にはそれぞれ隆起すると共にフールプルーフ機能を有する突起部が形成されることを特徴とする、請求項５に記載のプラグ端子の抜け止め可能なソケット。
【請求項８】
ソケット構造は３個あり、前記外ケースの対応するそれぞれの前記下端絶縁ケース体下方には接地挿入孔が形成されることを特徴とする、請求項５に記載のプラグ端子の抜け止め可能なソケット。
【考案の詳細な説明】
【技術分野】
【０００１】
本考案はソケット構造に関し、より詳しくは、プラグ端子の抜け止め可能且つ挿入されるプラグをあらかじめロックするソケットに関する。
【背景技術】
【０００２】
皆が知っているソケットは重要な電気接続器であり、プラグを挿入することで電力を取得する。ソケット構造には多くの特許先願があり、プラグ端子の抜け止め可能なソケットの中で、本願と最も関連があるのは台湾で２００５年４月１１日に公告を受けた特許文献１「ソケットロック装置」であり、これはソケットロック装置を開示し、主には外ケース体１、ソケット体２及びロック装置３を含み、ロック装置のつまみ３１の回転を制御することにより、その凸部３１４はホルダーブロック３２の側面頂点部３２３上方に押し当てられ、連動される締め具３３の凸部３３２は回転を経てホルダーブロック３２の凸部３２４を通り、さらにホルダーブロック下方の溝部３２２内に落ち込み、弧切面溝部３１１によってホルダーブロック３２は下向きに押し動かされ、このときホルダーブロック３２の抑制ピン３２５も一緒に下に移動し、嵌め込み溝３２６を導接挿入部６１上に押しつけることができ、抑制ピン３２５はしっかりと位置決めする。なお、再度反対方向にロック装置を回転させる場合、このとき回転される締め具３３の一対の凸部３２４は元の収納設置される溝部３３２の場所に戻され、さらにホルダーブロック３２の凸部３３２を通り、この時、凸部３３２は同時にホルダーブロック３２をその上に押し当て、抑制ピン３２５を制御させプラグ６とソケット体２を離脱固定状態にさせる。或いは、直接つまみ３１下方のねじ体３１１’のロックを利用し、ロック装置を回転させるとき、ホルダーブロック３２が上下に移動するようにさせ、別のプラグ押し当て固定の目的を達成させる。先願中ではつまみ３１を回転操作させることにより制御し、かなり大きな突起は占有空間を拡大すると共に時に操作は容易ではない。特に、抑制ピン３２５によってプラグ６の導接挿入部６１をつかむため、プラグ抜き差し力に影響を与え、ソケット内の導電端子４は容易に傷ついてしまう。さらに、端子４はフォーク形状構造であり、プラグの導接挿入部６１と垂直に接触するため、接触面積は比較的小さく、接触抵抗は比較的低く、温度上昇が容易に高くなり、改善の余地がある。
【０００３】
また特許文献２に記載の「ロック可能な電線接続器ユニット（Lockable electricalcord connector unit）」先願は、ロック可能な電線接続器ユニットを提供し、円柱形の絶縁接続器ケース体を有する。ロック制御リングは前記接続器ケース体において折り畳まれると共に力学式で接続器ケース体中に接続され、ケース体から延長される雄の電気接続器部材は雌の電気ソケット内にロックされる。該先願中では、ソケットやプラグケース上にロック制御リングを設け、凸輪を回転させることによりロックを達成し、その操作も不便である。
【０００４】
また特許文献３に記載の「電気接続器の安全装置（Securing device forelectrical connectors）では接続器が提供され、主には外ケース部材２２（housingmember）上に円柱状の輪１００（cylindrical wheel）を設け、円柱状の輪の回転を利用してねじ型プランジャー４２（screw-style plunger）を押し動かし、両導電突起２４、２６（prong）間を移動させ、プラグの抜け止めを可能にする。この先願構造では、ねじ型プランジャーは導電突起を圧迫し、プラグ抜き差しに加える力に影響を与え、ソケット内の導電突起が容易に傷つき、使用寿命が低下してしまうという問題があった。
【０００５】
さらに、特許文献４に記載の「ソケット内の導体層構造（Structure ofconductive sheet in socket）」ではフォーク状の電体層が提供され、これはプラグの導電端子と垂直に接触し、接触面積は比較的小さく、接触抵抗も比較的低く、温度上昇が容易に高くなる。
【先行技術文献】
【特許文献】
【０００６】
【特許文献１】台湾実用新案第Ｍ２６１８７５号公報
【特許文献２】アメリカ特許第６,４２８,３３９号公報
【特許文献３】アメリカ特許第６,６７６,４２８号公報
【特許文献４】アメリカ特許第７,１１４,９７９号公報
【考案の概要】
【考案が解決しようとする課題】
【０００７】
従って、前述した従来の技術から見ると、本発明者は上記の欠点が改善可能と考え、鋭意検討を重ねた結果、合理的設計で上記の課題を効果的に改善する本考案の提案に到った。
【０００８】
本考案は、このような従来の問題に鑑みてなされたものである。上記課題解決のため、本考案は、プラグ端子の抜け止め可能且つ挿入されるプラグをあらかじめロックするソケット構造を提供することを主目的とする。
【課題を解決するための手段】
【０００９】
上述した課題を解決し、目的を達成するために、本考案に係るプラグ端子をロックするソケットは導線に接続され、少なくとも２つの導電端子を有するプラグを挿入させることにより導電性接続するプラグ端子の抜け止め可能なソケットであって、
２個の挿入孔を開設する前端面を有し、前記プラグの２つの導電端子をそれぞれ挿入させ、前記前端面の後方側面は壁が延長され、上方が開いている収納空間が形成され、前記前端面が形成する後端面は少なくとも２つの欠切を有する下端絶縁ケース体と、
挿入される前記プラグの導電端子と挟持接触し、それぞれの前段には２つの前方に向かって間隔が徐々に縮まり、さらに広がる弾力部材を有し、後段には前記２つの弾力部材と接触する結合部が形成され、末端には前記導線の芯線と接続する接線部が形成される一対の電極フィルム構造と、
前記下端絶縁ケース体の収納空間上方を覆う上端絶縁ケース体と、
スライド式で前記溝部内に設けられると共に、下に向かって延長し前記２つの挟持部材の間に位置する凸部を有するスライドとを含み、
ここでは、前記スライドがロック位置へ押される時、前記凸部前端は前記２つの小円弧部を押し、前記２つの大円弧部はそれぞれ前記２つの電極フィルム構造の弾力部材を押し、前記２つの電極フィルム構造はそれぞれ前記プラグの導電端子を係止し、前記スライドがオープンの位置へ押される時、前記凸部は位置を移動させ、ロックを解除し、
前記壁の底面は前記収納空間内の対応する前記２個の挿入孔方向に向かう一対の間隔を有する挟持部材を形成し、それぞれの前記挟持部材は少なくとも１つの自由端部を有し、端部外側には大円弧部が形成され、内側には小円弧部が形成され、前記大円弧部は前記電極フィルム構造の両弾力部材の間隔が徐々に縮まる位置の傍に位置し、前記２つの挟持部材の間には溝部が開設されることを特徴とする。
【００１０】
本考案は前記スライドの凸部を利用して両挟持部材の自由端部を押し動かして移動させ、２つの電極フィルム構造の弾力部材を制御することにより、プラグの導電端子を抜け止めさせる。もしスライドがオンの位置にある場合、両弾力部材の間にはロック力がなく、よってプラグを抜き差しする時に加える力に影響を与えず、弾力部材は容易に傷つかず、使用寿命が延びる。
【００１１】
これ以外に、本考案が提供するプラグ端子の抜け止め可能なソケットは電極フィルム構造が２つの弾力部材によって構成され、プラグの導電端子と接触する面積が大きく、接触抵抗が比較的低く、比較的温度上昇が低くなる。これ以外に、本考案は複数個のソケット構造を１つの外ケースで覆い、１つのソケットを構成してもよい。
【考案の効果】
【００１２】
本考案によれば、プラグ端子の抜け止め可能且つ挿入されるプラグをあらかじめロックするソケット構造が得られる。
【図面の簡単な説明】
【００１３】
【図１】本考案による組み立て図である。
【図２】本考案による分解図である。
【図３】本考案の上端絶縁ケース体とスライドを別の角度から見た分解図である。
【図４】本考案による上面図である。
【図５】本考案による正面図である。
【図６】図５のＡＡ切断線に沿った断面図である。
【図７】本考案のプラグを挿入した後の上端絶縁ケース体を除去した平面図であり、スライドはオンの位置にある。
【図７Ａ】図７の状態時の上端絶縁ケース体と凸部の相対位置を示す立体図である。
【図８】本考案のプラグを挿入した後の上端絶縁ケース体を除去した平面図であり、スライドはロックの位置にある。
【図８Ａ】図８の状態時の上端絶縁ケース体と凸部の相対位置を示す立体図である。
【図９】本考案を外ケースで覆った立体図である。
【図１０】複数個の本考案と外ケースを組み合わせたソケットの立体図である。
【図１１】本考案が２つのフールプルーフを具える立体図である。
【図１２】本考案の他の実施形態の図である。
【考案を実施するための形態】
【００１４】
以下、本考案の実施形態を図面に基づいて説明する。なお、本考案は、以下に説明する実施形態に限定されるものではない。
【００１５】
まず、本考案のプラグ端子の抜け止め可能なソケットの第１実施形態について説明する。なお、本考案の第１実施形態の構成を図１から図１０に示す。
（第１実施形態）
図１及び図２によれば、本考案のプラグ端子の抜け止め可能なソケット１は電気を供給する導線２に接続され、少なくとも２つの導電端子３１を有するプラグ３（図７或いは図９を参照）を挿入することによって導電性接続がなされる。ソケット構造１は主に下端絶縁ケース体１１、一対の電極フィルム構造１２、上端絶縁ケース体１３及びスライド１４によって構成される。
【００１６】
下端絶縁ケース体１１は２つの挿入孔１１１を開設する前端面１１２を有し、プラグ３の両導電端子３１をそれぞれ挿入させ、前端面１１２の後方側面は壁１１３が延長され、上方が開いている収納空間１１４が形成され、前記前端面１１２が形成する後端面１１５は少なくとも２つの欠切１１６を有し、それぞれ電極フィルム構造１２に嵌め込まれる。
【００１７】
それぞれの電極フィルム構造１２と挿入されるプラグ３の導電端子３１は挟持接触し、それぞれの電極フィルム構造１２前段には２つの前方に向かって間隔が徐々に縮まり、さらに広がる弾力部材１２１があり、後段には前記２つの弾力部材１２１と接触する結合部１２２が形成され、末端には前記導線２の芯線２１と接続する接線部１２３が形成される。
【００１８】
上端絶縁ケース体１３は下端絶縁ケース体１１の収納空間１１４上方を覆い、上端絶縁ケース体１３壁の底面は収納空間１１４内の対応する前記２個の挿入孔１１１方向に向かう一対の間隔を有する狭持部材１３１を形成し、図３を参照すると、それぞれの挟持部材１３１は少なくとも１つの自由端部１３２を有し、端部１３２外側には大円弧部１３３が形成され、内側には小円弧部１３４が形成され、大円弧部１３３は電極フィルム構造１２の両弾力部材１２１の間隔が徐々に縮まる位置の傍に位置し、上端絶縁ケース体１３は２つの挟持部材１３１の間に溝部１３５を開設させる。
【００１９】
スライド１４はスライド式で溝部１３５内に設けられ、下に向かって延長し２つの挟持部材１３１の間に位置する凸部１４１を有し、その組み合わせは図４から図６を参照されたい。スライド１４が平常時のオンの位置に位置するとき、凸部１４１は両挟持部材１３１の間を介し、無接触であり、図７及び図７Ａに示すように、プラグ３は前端面１１２の挿入孔１１１を貫通し、両弾力部材１２１の間に挿入され、抜き出すことも可能である。
【００２０】
図８及び図８Ａによれば、スライド１４がロック位置に押されるとき、凸部１４１前端は２つの小円弧部１３４を押し、前記２つの大円弧部１３３はそれぞれ前記２つの電極フィルム構造１２の内側の弾力部材１２１を押すようにさせ、前記２つの電極フィルム構造１２はそれぞれプラグ３の導電端子３１を係止し、プラグ３を抜け出せなくさせる。
【００２１】
もしプラグ３を抜き出そうとするのであれば、スライド１４をオープンの位置に押し戻し、図７に示すように、凸部１４１は位置を移動させ、プラグ３の導電端子３１のロックを解除し、プラグ３を抜き出す。
【００２２】
図９によれば、本考案のソケット構造１はさらに外ケース４を含み、前記外ケース４は下端絶縁ケース体１１を覆った後、導線２が外ケース４後端から伸び出すようにさせる。下端絶縁ケース体１１の前端面１１２上方には隆起した突起部４２が形成され、前記突起部４２の高さはスライド１４の高さより高く、フールプルーフ機能を有し、使用者が誤挿入することを避ける。これ以外に、図１１は本考案の別の実施形態であり、図９と類似するが、前端面１１２の上下両方向のすべてに隆起すると共にフールプルーフ機能を有する突起部４２が形成される。
【００２３】
本考案のプラグ端子の抜け止め可能なソケット１はスライド１４の凸部１４１を利用して両狭持部材１３１の自由端部１３２を押し動かして移動させ、２つの電極フィルム構造１２の弾力部材１２１を制御することにより、プラグ３の導電端子３１をロックさせる。もしスライド１４がオンの位置にある場合、弾力部材１２１の間にはロック力がなく、よってプラグ３を抜き差しする時に加える力に影響を与えず、弾力部材１２１は容易に傷つかず、使用寿命が延びる。これ以外に、電極フィルム構造１２が２つの弾力部材１２１によって構成され、プラグ３の導電端子３１と接触する面積が大きく、接触抵抗が比較的低く、比較的温度上昇が低くなる。
【００２４】
さらに、図１０によれば、本考案のプラグ端子の抜け止め可能なソケットは複数個のソケット構造１と外ケース４及び導線２を組み合わせてソケットとなす。図１０に示すように、３つのソケット構造１は外ケース４によって下端絶縁ケース体１１を覆う以外に、導線２は外ケース４後端から伸び出される。外ケース４は対応するそれぞれの下端絶縁ケース体１１下方に接地挿入孔４１を形成し、プラグ３の導電端子３１はいずれかのソケット構造１の挿入孔に挿入可能であり、接地端子３２は接地挿入孔４１内に挿入される。
【００２５】
以上、本考案はこのような実施形態に限定されるものではなく、考案の趣旨を逸脱しない範囲において、種々の形態で実施することができる。
【図１】
0003179678.tif 000003
【図２】
0003179678.tif 000004
【図３】
0003179678.tif 000005
【図４】
0003179678.tif 000006
【図５】
0003179678.tif 000007
【図６】
0003179678.tif 000008
【図７】
0003179678.tif 000009
【図７Ａ】
0003179678.tif 000010
【図８】
0003179678.tif 000011
【図８Ａ】
0003179678.tif 000012
【図９】
0003179678.tif 000013
【図１０】
0003179678.tif 000014
【図１１】
0003179678.tif 000015
【図１２】
0003179678.tif 000016